(57)【要約】【課題】筐体に蓋４が着脱可能に取り付けられている携帯電子機器において、蓋４を筐体に取り付けるときの操作力を大きく増大させることなく、蓋４を筐体に強固に係止する。【解決手段】本発明に係る携帯電子機器において、蓋４は、４辺を有する平板部40と、該平板部40の互いに離間する２辺に沿って突設された一対の側部とを具え、他の２辺に沿う平板部40の基端部及び先端部の内、基端部を筐体に係合させた状態で先端部を筐体に係合させる操作によって、蓋４を筐体に取り付けることが可能である。蓋４の一対の側部の両側面にはそれぞれ、平板部40の基端部側から先端部側に向かって延びるリブ44が突設される一方、筐体には、リブ44が係合すべき係合受け部が形成され、該リブ44は、基端部側から先端部側に向かって徐々に高くなっている。【選択図】図４
2007335132.tif 000002
【特許請求の範囲】
【請求項１】
筐体(１)と、該筐体(１)の表面を覆って筐体(１)に着脱可能に係止された蓋(４)とを具え、該蓋(４)は、４辺を有する平板部(40)と、該平板部(40)の互いに離間する２辺に沿って突設された一対の側部とを具え、他の２辺に沿う平板部(40)の基端部及び先端部の内、基端部を筐体(１)に係合させた状態で先端部を筐体(１)に係合させる操作によって、蓋(４)を筐体(１)に取り付けることが可能な携帯電子機器において、
前記蓋(４)の一対の側部の両側面にはそれぞれ、平板部(40)の基端部側から先端部側に向かって延びるリブ(44)が突設される一方、筐体(１)には、該リブ(44)が係合すべき係合受け部が形成され、該リブ(44)の突出高さは、基端部側から先端部側に向かって徐々に高くなっていることを特徴とする携帯電子機器。
【請求項２】
前記蓋(４)は、平板部(40)の両側に一対の側壁部(46)(46)を突設して構成され、両側壁部(46)(46)にはそれぞれ、筐体(１)に向けて舌片(43)が突設され、該舌片(43)に前記リブ(44)が突設されている請求項１に記載の携帯電子機器。
【請求項３】
蓋(４)の一対の側壁部(46)(46)には、先端部側の端部に、蓋(４)を取り外す際に両側壁部(46)(46)を挟圧するための指掛かり(45)(45)が設けられている請求項２に記載の携帯電子機器。
【請求項４】
前記リブ(44)が係合すべき筐体(１)の係合受け部は、リブ(44)と同一方向に延びる凸条(14)によって形成されている請求項１乃至請求項３の何れかに記載の携帯電子機器。
【発明の詳細な説明】
【技術分野】
【０００１】
本発明は、筐体の表面を覆って蓋が着脱可能に取り付けられている携帯電子機器に関するものである。
【背景技術】
【０００２】
折り畳み式の携帯電話機は、図１１に示す如く、操作側筐体(６)と表示側筐体(７)を具え、操作側筐体(６)の背面には、電池(５)を収容するための電池室(60)が凹設されて、該電池室(60)は電池蓋(８)によって覆われている。
ところで、筐体に蓋を着脱可能に係止するべく、種々の係止機構が提案されている(例えば特許文献１、２参照)。
【０００３】
例えば図１１に示す携帯電話機においては、操作側筐体(６)に電池蓋(８)を着脱可能に係止するべく、電池蓋(８)の基端部には一対の突片(81)(81)を形成する一方、操作側筐体(６)には、電池室(60)に面して、前記一対の突片(81)(81)が嵌入すべき一対の係合受け部(61)(61)が形成されている。又、操作側筐体(６)には、電池室(60)に面して、操作ノブ(62)が配備される一方、電池蓋(８)の先端部には、前記操作ノブ(62)が係合すべき係止受け部(82)が形成されている。
【０００４】
操作側筐体(６)に電池蓋(８)を取り付ける場合、先ず、電池蓋(８)の突片(81)(81)を操作側筐体(６)の係合受け部(61)(61)に嵌入させ、その後、突片(81)(81)を中心として電池蓋(８)を操作側筐体(６)側に回転させて、係止受け部(82)を操作側筐体(６)の操作ノブ(62)に押し付けることによって、操作ノブ(62)を弾性変形させ、係止受け部(82)に係合させる。
【特許文献１】特開２００２−２１６７２９号公報［H01M2/10］
【特許文献２】特開平９−１８５６８８号公報［G06F17/00］
【発明の開示】
【発明が解決しようとする課題】
【０００５】
しかしながら、図１１に示す従来の携帯電話機においては、外部から大きな衝撃力が加わった場合、電池(５)の慣性力によって電池蓋(８)が操作側筐体(６)から押し上げられ、この結果、操作ノブ(62)と係止受け部(82)の係合が解除されて、電池蓋(８)が操作側筐体(６)から外れる虞があった。
又、電池(５)は充放電の繰り返しに伴って膨張し、膨張によって電池蓋(８)を押し上げるため、電池蓋(８)の両側部と操作側筐体(６)との間に、隙間が空いてしまう問題があった。
【０００６】
そこで、電池蓋(８)の両側部と操作側筐体(６)の両側部との間にも、弾性変形を利用したフック構造を設けることによって、電池蓋(８)をその４辺で操作側筐体(６)に強固に係止することが考えられる。
ところが、該フック構造の係止力を充分な大きさとするためには、フック構造の係合深さ(フック部の掛かり代)を大きなものとする必要があり、この結果、電池蓋(８)を操作側筐体(６)に取り付ける際の操作力が大きくなって、操作性が悪化する問題があった。
【０００７】
本発明の目的は、筐体に蓋が着脱可能に取り付けられている携帯電子機器において、蓋を筐体に取り付けるときの操作力を大きく増大させることなく、蓋を筐体に強固に係止することが出来る携帯電子機器を提供することである。
【課題を解決するための手段】
【０００８】
本発明に係る携帯電子機器は、筐体(１)と、該筐体(１)の表面を覆って筐体(１)に着脱可能に係止された蓋(４)とを具え、該蓋(４)は、４辺を有する平板部(40)と、該平板部(40)の互いに離間する２辺に沿って突設された一対の側部とを具え、他の２辺に沿う平板部(40)の基端部及び先端部の内、基端部を筐体(１)に係合させた状態で先端部を筐体(１)に係合させる操作によって、蓋(４)を筐体(１)に取り付けることが可能である。
ここで、前記蓋(４)の一対の側部の両側面にはそれぞれ、平板部(40)の基端部側から先端部側に向かって延びるリブ(44)が突設される一方、筐体(１)には、該リブ(44)が係合すべき係合受け部が形成され、該リブ(44)の突出高さは、基端部側から先端部側に向かって徐々に高くなっている。
【０００９】
上記本発明の携帯電子機器において、蓋(４)を筐体(１)に取り付ける際、先ず、蓋(４)の基端部を筐体(１)に係合させ、その状態で基端部を中心として蓋(４)を回転させて、蓋(４)の先端部を筐体(１)に押し付けて係合させる。
蓋(４)を回転させる過程で、蓋(４)のリブ(44)が、基端部側の最も高さの低い部分から先端部側の最も高さの高い部分に向かって徐々に、筐体(１)の係合受け部に係合することになる。
【００１０】
ここで、リブ(44)の最も高さの低い部分を筐体(１)の係合受け部に係合させるときは、リブ(44)の係合部分における高さが低いため、蓋(４)の側部は僅かに弾性変形すればよく、これによって操作力は小さくて済む。そして、徐々にリブ(44)の高さの高い部分を筐体(１)の係合受け部に係合させる過程においては、蓋(４)の側部が徐々に弾性変形しつつ、リブ(44)の斜面がガイド面となって、リブ(44)が筐体(１)の係合受け部に徐々に導かれていくので、操作力は小さくて済む。
【００１１】
具体的構成において、前記蓋(４)は、平板部(40)の両側に一対の側壁部(46)(46)を突設して構成され、両側壁部(46)(46)にはそれぞれ、筐体(１)に向けて舌片(43)が突設され、該舌片(43)に前記リブ(44)が突設されている。
そして、蓋(４)の一対の側壁部(46)(46)には、先端部側の端部に、蓋(４)を取り外す際に両側壁部(46)(46)を挟圧するための指掛かり(45)(45)が設けられている。
【００１２】
該具体的構成の携帯電子機器においては、筐体(１)から蓋(４)を取り外す際、蓋(４)の一対の側壁部(46)(46)に設けられた指掛かり(45)(45)を指で挟圧する。これによって、蓋(４)の平板部(40)が弾性により湾曲して、一対の側壁部(46)(46)が内側へ変位することになる。これに伴って、一対の側壁部(46)(46)に突設されたリブ(44)(44)も内側へ変位し、この結果、筐体(１)の係合受け部に対するリブ(44)の係合深さ(掛かり代)が浅くなる。
筐体(１)から蓋(４)を取り外す際に、先ず、リブ(44)の最も高い部分を筐体(１)の係合受け部から離脱させる必要があるが、上述の如く指掛かり(45)(45)の挟圧によってリブ(44)の係合深さ(掛かり代)が全体的に浅くなっているので、操作力は小さくて済む。
【発明の効果】
【００１３】
本発明に係る携帯電子機器によれば、筐体(１)の係合受け部に対する蓋(４)のリブ(44)の係合深さを全体的に深いものとしても、蓋(４)を筐体(１)に取り付けるときの操作力は小さくても済むので、これによって、操作力を大きく増大させることなく蓋(４)を筐体(１)に強固に係止することが出来る。
【発明を実施するための最良の形態】
【００１４】
以下、本発明を折り畳み式携帯電話機に実施した形態につき、図面に沿って具体的に説明する。
本発明に係る折り畳み式携帯電話機は、図１に示す如く操作側筐体(１)と表示側筐体(２)をヒンジ機構(３)により開閉可能に連結して構成され、図２に示す如く操作側筐体(１)の背面には、電池蓋(４)が着脱可能に取り付けられている。
【００１５】
図３に示す様に、操作側筐体(１)の背面には、電池(５)を収容するための電池室(10)が凹設されており、該電池室(10)は電池蓋(４)によって覆われる。
電池蓋(４)は、４辺を有する平板部(40)を具え、該平板部(40)には、互いに対向する２辺に沿う一対の側壁部(46)(46)が突設されている。他の２辺に沿う平板部(40)の基端部及び先端部の内、基端部には、一対の突片(41)(41)が形成される一方、操作側筐体(１)には、電池室(10)に面して、該一対の突片(41)(41)が嵌入すべき一対の係合受け部(11)(11)が凹設されている。
【００１６】
又、操作側筐体(１)には、電池室(10)を挟んで係合受け部(11)(11)とは反対側の端部に、弾性付勢された操作ノブ(15)が配備される一方、電池蓋(４)の先端部には、操作ノブ(15)が係合すべき係止受け部(42)が設けられている。
【００１７】
操作側筐体(１)は、電池室(10)の両側に左右一対の側壁部(12)(12)を有し、これらの側壁部(12)(12)が電池蓋(４)の側壁部(46)(46)と当接して、操作側筐体(１)の側面が閉じられることになる。
図４に示す如く、電池蓋(４)の各側壁部(46)には、操作側筐体(１)へ向けて舌片(43)が突設され、該舌片(43)の外側面には、平板部(40)の基端部側から先端部側へ向かって延びるリブ(44)が突設されている。該リブ(44)は、その突出高さが基端部側から先端部側に向かって徐々に高くなっている。
【００１８】
一方、操作側筐体(１)の各側壁部(12)には、図５に示す如く、前記電池蓋(４)のリブ(44)との対応する位置に、該リブ(44)と平行に延びる凸条(14)が、電池室(10)へ向けて突設され、該凸条(14)の下側に、リブ(44)が嵌まり込むべき溝(13)が形成されている。尚、凸条(14)は、その全長に亘って均一な高さを有している。
【００１９】
図２に示す如く操作側筐体(１)に電池蓋(４)が取り付けられた状態では、図６及び図７に示す如く電池蓋(４)の先端部寄りの断面において電池蓋(４)のリブ(44)は、操作側筐体(１)の凸条(14)と大きな係合深さＤ１で係合している。
これに対し、図８及び図９に示す如く電池蓋(４)の基端部寄りの断面においては、電池蓋(４)のリブ(44)は、操作側筐体(１)の凸条(14)と小さな係合深さＤ２で係合している。
【００２０】
又、図４に示す如く、電池蓋(４)の各側壁部(46)の外側面には、先端部側の端部に、電池蓋(４)を取り外す際に指を掛けるための指掛かり(45)が設けられている。
【００２１】
上記折り畳み式携帯電話機において、操作側筐体(１)に電池蓋(４)を取り付ける際には、先ず、図３に示す電池蓋(４)の突片(41)(41)を操作側筐体(１)の係合受け部(11)(11)に嵌入させ、この状態で突片(41)(41)を中心として電池蓋(４)を回転させ、電池蓋(４)を操作側筐体(１)に向けて押し付ける。これによって、操作側筐体(１)の操作ノブ(15)が弾性変位し、電池蓋(４)の係止受け部(42)と係合することになる。
【００２２】
電池蓋(４)を回転させる過程で、電池蓋(４)の各リブ(44)が、基端部側の最も高さの低い部分から先端部側の最も高さの高い部分に向かって徐々に、操作側筐体(１)の凸条(14)と係合することになる。
ここで、リブ(44)の最も高さの低い部分を操作側筐体(１)の凸条(14)と係合させるときは、リブ(44)の係合部分における高さが充分に低いため、電池蓋(４)の舌片(43)は僅かに弾性変形すればよく、これによって操作力は小さくて済む。そして、徐々にリブ(44)の高さの高い部分を操作側筐体(１)の凸条(14)と係合させる過程においては、リブ(44)を凸条(14)に押し付けることにより、リブ(44)の斜面がガイド面となってリブ(44)は徐々に凸条(14)を乗り越えることになる。この過程で舌片(43)は徐々に弾性変形するので、操作力は小さくて済む。
【００２３】
この結果、電池蓋(４)のリブ(44)はその全長に亘って操作側筐体(１)の凸条(14)と係合する。これによって、電池蓋(４)は４辺にて操作側筐体(１)と係合することになるので、電池蓋(４)は全体として強固に操作側筐体(１)に係止されることになる。
【００２４】
操作側筐体(１)から電池蓋(４)を取り外す際は、先ず、操作側筐体(１)の操作ノブ(15)を操作して、該操作ノブ(15)と電池蓋(４)の係止受け部(42)との係合を解除した後、図２に示す一対の指掛かり(45)(45)に指を当てて電池蓋(４)を両側から挟圧し、この状態で突片(41)(41)を中心として電池蓋(４)を回転させる。
【００２５】
ここで、電池蓋(４)を両側から挟圧することによって、図１０(ａ)(ｂ)に示す様に、電池蓋(４)の側壁部(46)が押圧力Ｆを受けて内側に弾性変位し、これに伴ってリブ(44)も内側に変位することになる。この結果、電池蓋(４)のリブ(44)と操作側筐体(１)の凸条(14)との係合深さ(掛かり代)が小さくなるので、電池蓋(４)を回転させるための操作力は小さくて済む。
【００２６】
電池蓋(４)を回転させることによって、電池蓋(４)のリブ(44)と操作側筐体(１)の凸条(14)との係合を全長に亘って解除した後、電池蓋(４)の突片(41)(41)を操作側筐体(１)の係合受け部(11)(11)から抜き出す。
この様にして、操作側筐体(１)から電池蓋(４)を容易に取り外すことが出来る。
【００２７】
本発明に係る折り畳み式携帯電話機においては、上述の如く、操作側筐体(１)の凸条(14)に対する電池蓋(４)のリブ(44)の係合深さを全体的に深いものとしても、電池蓋(４)を操作側筐体(１)に取り付けるときの操作力は小さくても済むので、これによって、操作力を大きく増大させることなく電池蓋(４)を操作側筐体(１)に強固に係止することが出来る。
従って、携帯電話機に大きな衝撃力が加わったとしても、電池蓋(４)が操作側筐体(１)から外れる虞はない。又、電池(５)が充放電の繰り返しによって膨張したとしても、電池蓋(４)の側壁部(46)と操作側筐体(１)の側壁部(12)との間に隙間が空くことはない。
【００２８】
尚、本発明の各部構成は上記実施の形態に限らず、特許請求の範囲に記載の技術的範囲内で種々の変形が可能である。例えば本発明は、電池蓋(４)に電池(５)を一体化した携帯電話機に実施することも可能である。この場合、電池蓋(４)には、電池(５)から両側へ突出して弾性変形可能な両側部を形成し、該両側部にそれぞれリブ(44)を突設すると共に、指掛かり(45)を設ける。
【図面の簡単な説明】
【００２９】
【図１】本発明に係る折り畳み式携帯電話機の斜視図である。
【図２】該折り畳み式携帯電話機の背面図である。
【図３】該折り畳み式携帯電話機の分解斜視図である。
【図４】電池蓋に形成されたリブを示す拡大斜視図である。
【図５】操作側筐体に形成された凸条を示す拡大斜視図である。
【図６】図２のＡ−Ａ線に沿う断面図である。
【図７】図６のＣ部を拡大した図である。
【図８】図２のＢ−Ｂ線に沿う断面図である。
【図９】図８のＤ部を拡大した図である。
【図１０】電池蓋を取り外す際の電池蓋の弾性変形を表わす拡大断面図である。
【図１１】従来の携帯電話機の分解斜視図である。
【符号の説明】
【００３０】
(１)  操作側筐体
(10)  電池室
(12)  側壁部
(14)  凸条
(２)  表示側筐体
(４)  電池蓋
(40)  平板部
(46)  側壁部
(43)  舌片
(44)  リブ
(45)  指掛かり
(５)  電池
【図１】
2007335132.tif 000003
【図２】
2007335132.tif 000004
【図３】
2007335132.tif 000005
【図４】
2007335132.tif 000006
【図５】
2007335132.tif 000007
【図６】
2007335132.tif 000008
【図７】
2007335132.tif 000009
【図８】
2007335132.tif 000010
【図９】
2007335132.tif 000011
【図１０】
2007335132.tif 000012
【図１１】
2007335132.tif 000013